(57)【要約】【課題】端子台における端子の位置や形状にかかわらず、汎用的に使用可能なジャンパ線を提供する。【解決手段】端子台に設けられた複数の端子ねじの間を接続して導通させるためのジャンパ線１は、端子接続部１０が着脱自在に装着されるソケット部２ａ，２ｂと、ソケット部２ａとソケット部２ｂとの間を導通させるためのリード線３と、ソケット部２ａ，２ｂに挿入されて端子台の端子ねじに接続される端子接続部１０とを備えている。ソケット部２ａ，２ｂには、端子接続部１０が挿入される開口部４ａ，４ｂが設けられ、複数の形状を有する端子接続部１０を選択することができる。そのため、端子台における端子の位置や形状にかかわらず、汎用的に使用可能になる。【選択図】  図１
2018073571.tif 000002
【特許請求の範囲】
【請求項１】
端子台に設けられた複数の端子の間を接続して導通させるためのジャンパ線であって、
前記端子に接続される、接続方式が異なる複数種類の端子接続部と、
前記端子接続部が着脱自在に装着されるソケット部と、
複数の前記ソケット部の間を接続して複数の前記端子接続部の間を導通させるためのリード線と、を備え、
前記端子の位置及び形状に対応して、前記複数種類の端子接続部から１つまたは複数の端子接続部を選択可能である、
ことを特徴とするジャンパ線。
【請求項２】
前記ソケット部は、前記端子接続部が挿入されて装着される開口部を備えている、
ことを特徴とする請求項１に記載のジャンパ線。
【請求項３】
前記複数種類の端子接続部の一つは、
略柱状に形成された導通部と、
前記導通部の側面を覆うように略筒状に形成された磁石と、を備え、
前記端子に接続される箇所は、前記端子を嵌着させるように凹状に形成されている、
ことを特徴とする請求項１または２のいずれか１項に記載のジャンパ線。
【請求項４】
前記複数種類の端子接続部の一つは、クリップ状に形成され、前記端子を挟持する挟持部を備えている、
ことを特徴とする請求項１ないし３のいずれか１項に記載のジャンパ線。
【請求項５】
前記端子は、ねじにより形成され、
前記複数種類の端子接続部の一つは、開口部を有するＵ字状に形成され、前記開口部に前記ねじの軸部が挿入されて前記ねじを締め付けることにより前記端子台に固定される、
ことを特徴とする請求項１ないし４のいずれか１項に記載のジャンパ線。
【発明の詳細な説明】
【技術分野】
【０００１】
この発明は、端子台に設けられた複数の端子の間を接続して導通させるためのジャンパ線に関する。
【背景技術】
【０００２】
電気設備の点検に伴い、点検対象である電気設備の制御回路における安全処置として、または通常設けられている安全装置（インターロック）を解除する場合の処置として、ジャンパ線が使用されている。このジャンパ線は、例えば、図４に示すような端子台１００に取り付けられて使用されている。このような端子台１００は、主として絶縁基部１０１と、絶縁隔壁１０２と、端子ねじ１０３と、接続板１０４と、保持レール１０５と、電線１０６，１０７とから構成されている。
【０００３】
絶縁基部１０１及び絶縁隔壁１０２は、端子台１００の導電箇所をそれぞれ隔離するための部材であり、例えば、合成樹脂により形成されている。端子ねじ１０３は、回路を構成するためにジャンパ線を接続するための端子である。接続板１０４は、端子ねじ１０３が螺合される箇所であり、電線１０６，１０７に接続される導電部である。端子ねじ１０３及び接続板１０４は、例えば、磁石が接合する金属により形成されている。保持レール１０５は、端子台１００を載置して固定するためのレールであり、他の端子台と接続するためにも使用される装置である。電線１０６，１０７は、他の電気設備に接続するために設けられているものである。
【０００４】
このような端子台１００に使用されるジャンパ線は、例えば、端子ねじ１０３との接続箇所である端子接続部がＵ字型に形成され、端子ねじ１０３の軸部を挟持して導通させるものや、クリップ状に形成されて絶縁隔壁１０２又は端子ねじ１０３を挟持して導通させるものがある。
【０００５】
Ｕ字型の端子接続部は、端子ねじ１０３によって確実に固定されるものであるが、端子ねじ１０３を緩めるかまたは取り外して接続する必要があるため、ドライバー等の工具が必要になり、煩わしいものである。また、クリップ状の端子接続部は、端子ねじ１０３に容易に接続可能であるため迅速な回路構成が可能であるが、絶縁隔壁１０２又は端子ねじ１０３を挟持する際に滑りやすいものであるため、脱落しやすいものであった。
【０００６】
また、このような端子間の接続を容易にするために、両端にバナナ端子を備えたジャンパーケーブルが用いられることがある。このようなジャンパーケーブルを使用可能にするために、端子台に使用されるバナナ端子用の端子固定具が知られている（例えば、特許文献１参照。）。この端子固定具は、端子台のねじを取り出してねじ孔に螺合させて使用される固定具である。
【先行技術文献】
【特許文献】
【０００７】
【特許文献１】特開２００８−２５８０６９号公報
【発明の概要】
【発明が解決しようとする課題】
【０００８】
ところで、特許文献１に記載の端子固定具は、バナナ端子を備えたジャンパーケーブル用の固定具であり、他の形状のものには使用できないものである。端子の位置や形状にかかわらず、汎用的に使用可能なジャンパ線が望まれていた。
【０００９】
そこでこの発明は、端子の位置や形状にかかわらず、汎用的に使用可能なジャンパ線を提供することを目的とする。
【課題を解決するための手段】
【００１０】
上記課題を解決するために、請求項１の発明は、端子台に設けられた複数の端子の間を接続して導通させるためのジャンパ線であって、前記端子に接続される、接続方式が異なる複数種類の端子接続部と、前記端子接続部が着脱自在に装着されるソケット部と、複数の前記ソケット部の間を接続して複数の前記端子接続部の間を導通させるためのリード線と、を備え、前記端子の位置及び形状に対応して、前記複数種類の端子接続部から１つまたは複数の端子接続部を選択可能である、ことを特徴とする。
【００１１】
この発明では、ジャンパ線のソケット部に、端子に接続される端子接続部が着脱自在に装着される。また、この端子接続部は、接続方式が異なる複数種類のものがあり、端子の位置及び形状に対応して複数種類の中から１つまたは複数の端子接続部を選択可能である。
【００１２】
請求項２の発明は、請求項１に記載のジャンパ線において、前記ソケット部は、前記端子接続部が挿入されて装着される開口部を備えている、ことを特徴とする。
【００１３】
請求項３の発明は、請求項１または２のいずれか１項に記載のジャンパ線において、前記複数種類の端子接続部の一つは、略柱状に形成された導通部と、前記導通部の側面を覆うように略筒状に形成された磁石と、を備え、前記端子に接続される箇所は、前記端子を嵌着させるように凹状に形成されている、ことを特徴とする。
【００１４】
請求項４の発明は、請求項１ないし３のいずれか１項に記載のジャンパ線において、前記複数種類の端子接続部の一つは、クリップ状に形成され、前記端子を挟持する挟持部を備えている、ことを特徴とする。
【００１５】
請求項５の発明は、請求項１ないし４のいずれか１項に記載のジャンパ線において、前記端子は、ねじにより形成され、前記複数種類の端子接続部の一つは、開口部を有するＵ字状に形成され、前記開口部に前記ねじの軸部が挿入されて前記ねじを締め付けることにより前記端子台に固定される、ことを特徴とする。
【発明の効果】
【００１６】
請求項１の発明によれば、ジャンパ線のソケット部には、接続方式が異なる複数種類の端子接続部が着脱自在に装着され、この端子接続部は、端子の位置及び形状に対応して複数種類の中から１つまたは複数の端子接続部を選択可能であるので、端子台の端子の位置や形状に応じて適当な端子接続部を選択することができる。これは、例えば、接続しようとする端子同士が隣接している場合や、他のジャンパ線が接続されている端子が隣接している場合等、状況に応じて適当な端子接続部が異なることがあるからである。これにより、端子の位置や形状にかかわらず、汎用的に使用可能なジャンパ線を提供することが可能になる。
【００１７】
請求項２の発明によれば、ソケット部に端子接続部が挿入されて装着される開口部を備えているので、接続方式が異なる複数種類の端子接続部を選択して、容易に装着することができる。
【００１８】
請求項３の発明によれば、端子接続部が略柱状に形成された導通部と、その側面を覆うように略筒状に形成された磁石とを備えているので、磁石の磁力により端子接続部が端子に接続される。これにより、端子に接続するためのドライバー等の工具が不要になるので、迅速に回路を構成することが可能になる。また、端子に接続される箇所が端子を嵌着させるように凹状に形成されているので、端子接続部と端子との接合面積が増すので、端子接続部が安定して端子に接続される。
【００１９】
請求項４の発明によれば、端子接続部がクリップ状に形成され、端子を挟持する挟持部を備えているので、端子の磁石に対する接合力が弱い場合や、端子台の絶縁隔壁を挟持して使用する場合、前述の磁石を備えた端子接続部のジャンパ線が隣接する端子に接続されている場合等、請求項２の発明に係る端子接続部が使用できない場合に有用である。
【００２０】
請求項５の発明によれば、端子接続部が開口部を有するＵ字状に形成され、開口部に端子ねじの軸部が挿入されてねじを締め付けることにより端子台に固定されるので、前述のように端子の磁石に対する接合力が弱い場合や、端子台の端部の端子を使用する場合に有用である。
【図面の簡単な説明】
【００２１】
【図１】この発明の実施の形態に係るジャンパ線１を示す図であり、ジャンパ線１を示す斜視図（ａ）、及び図（ａ）のソケット部２及び端子接続部１０を示す拡大断面図（ｂ）である。
【図２】図１の端子接続部１０とは異なる他の端子接続部２０を示す平面図である。
【図３】図１の端子接続部１０とは異なる他の端子接続部３０を示す平面図である。
【図４】従来例の端子台１００の例を示す正面図である。
【発明を実施するための形態】
【００２２】
以下、この発明を図示の実施の形態に基づいて説明する。
【００２３】
図１ないし図３は、この発明の実施の形態に係るジャンパ線１を示し、図１は、ジャンパ線１を示す斜視図（ａ）、及び図（ａ）のソケット部２及び端子接続部１０を示す拡大断面図（ｂ）である。このジャンパ線１は、図４に示すような端子台１００に設けられた複数の端子ねじ（端子）１０３の間を接続して導通させるための接続ケーブルであり、主としてソケット部２と、リード線３と、端子接続部１０とから構成されている。
【００２４】
ソケット部２は、端子接続部１０が挿入されて着脱自在に装着され、端子接続部１０とリード線３との間を導通するための箇所であり、リード線３の両端に２つのソケット部２ａ，２ｂが設けられている。このソケット部２は、略円筒形の形状を有し、リード線３との接続箇所は閉塞され、端子接続部１０との接続箇所には、端子接続部１０を挿入するための開口部４が設けられている。この開口部４は、断面略円形に形成されており、２つのソケット部２ａ，２ｂに対してそれぞれ開口部４ａ，４ｂが設けられている。この開口部４に対向するソケット部２の底部には、端子接続部１０と接続するための電極が設けられている。
【００２５】
リード線３は、導電素材により形成された心線を絶縁素材にて被覆されたものであり、ソケット部２ａとソケット部２ｂとの間を導通させることにより複数の端子接続部１０の間を導通させるためのものである。このリード線３の心線とソケット部２の底部に設けられた電極との間は、電気的に接続されている。
【００２６】
端子接続部１０は、開口部４に挿入されて図４のような端子台１００の端子ねじ１０３に接続される箇所であり、図示しない係合突起等が設けられ、開口部４に挿入されて係合突起等により固定されるように形成されている。この端子接続部１０は、接続方式の異なる複数種類のものが設けられたうちの一つであり、例えば、主として略円柱型の金属等の導電素材により形成された導通部１１と、その導通部１１の側面を覆うように略円筒型に設けられた磁石１２とにより構成され、図１（ｂ）に示すように、端子接続部１０の端子ねじ１０３との接続箇所に凹部が設けられ、その凹部に端子ねじ１０３が嵌着されるように形成されている。端子接続部１０が開口部４に挿入されると、ソケット部２の底部に設けられた電極と導通部１１の一端とが接触する。これにより、図１（ａ）に示すように開口部４ａに挿入された端子接続部１０と、開口部４ｂに挿入された端子接続部１０との間が導通する。
【００２７】
図２は、ジャンパ線１に装着される、図１の端子接続部１０とは異なる他の端子接続部２０を示す平面図である。端子接続部２０は、接続方式の異なる複数種類の端子接続部の一つであり、端子接続部１０に替えて使用されるものである。この端子接続部２０は、主として、挿入部２１と、アーム部２２と、挟持部２３とから構成されている。
【００２８】
挿入部２１は、端子接続部１０と同様に、開口部４に挿入される箇所であり、略円柱型に形成され、導通部１１と同様の略円柱型の導電部材を備え、その側面周囲を絶縁部材で覆うように形成されている。また、挿入部２１には、図示しない係合突起等が設けられ、開口部４に挿入されて係合突起等により固定されるように形成されている。
【００２９】
アーム部２２は、クリップ状に形成された端子接続部２０におけるアーム部分であり、２本のアーム部２２ａ，２２ｂが設けられ、挿入部２１の導電部材が接続されて導通しており、その先端に挟持部２３が設けられている。挟持部２３は、絶縁隔壁１０２又は端子ねじ１０３を挟持するためのものであり、アーム部２２に設けられた図示しないスプリング等の付勢力により挟持した状態で外れないように構成されている。なお、アーム部２２及び挟持部２３は、磁石で形成しても良い。
【００３０】
図３は、ジャンパ線１に装着される、図１の端子接続部１０とは異なる他の端子接続部３０を示す平面図である。端子接続部３０は、接続方式の異なる複数種類の端子接続部の一つであり、端子接続部１０に替えて使用されるものである。この端子接続部３０は、主として、挿入部３１と、アーム部３２と、把持部３３とから構成されている。
【００３１】
挿入部３１は、端子接続部１０と同様に、開口部４に挿入される箇所であり、略円柱型に形成され、導通部１１と同様の略円柱型の導電部材を備え、その側面周囲を絶縁部材で覆うように形成されている。また、挿入部３１には、図示しない係合突起等が設けられ、開口部４に挿入されて係合突起等により固定されるように形成されている。
【００３２】
アーム部３２は、Ｕ字状に形成された端子接続部３０におけるアーム部分であり、挿入部３１の導電部材が延設されて二又に分岐し、２本のアーム部３２ａ，３２ｂに分かれて延設され、アーム部３２ａ，３２ｂの間に開口部３３が設けられている。開口部３３は、端子ねじ１０３の軸部が挿入されてねじ止めされるための箇所である。なお、アーム部３２は、磁石で形成しても良い。
【００３３】
次に、このようなジャンパ線１の使用方法及び作用等について、以下に説明する。
【００３４】
例えば、端子台１００が設置されている電気設備の点検の際に、以下のように使用される。まず、端子接続部１０を使用する場合、２つのソケット部２ａ，２ｂの開口部４ａ，４ｂに、２つの端子接続部１０が挿入されて固定される。このとき、開口部４ａに挿入された端子接続部１０と、開口部４ｂに挿入された端子接続部１０との間は導通されている。この状態で、端子台１００の端子ねじ１０３に、端子接続部１０の凹部を嵌着させるように接触させる。すると、磁石１２の磁力により、端子接続部１０の凹部が端子ねじ１０３に嵌着され、端子ねじ１０３に接続されて固定される。これをジャンパ線１の両端に対して行う。これにより、ジャンパ線１の両端が端子台１００の端子ねじ１０３に接続されて固定され、端子ねじ１０３どうしが導通される。
【００３５】
また、端子接続部２０を使用する場合、２つのソケット部２ａ，２ｂの開口部４ａ，４ｂに、２つの端子接続部２０が挿入されて固定される。このとき、開口部４ａに挿入された端子接続部２０の挟持部２３と、開口部４ｂに挿入された端子接続部２０の挟持部２３との間は導通されている。この状態で、端子台１００の端子ねじ１０３を挟持部２３により挟持すると、端子ねじ１０３を挟持した状態で固定される。これをジャンパ線１の両端に対して行う。これにより、ジャンパ線１の両端が端子台１００の端子ねじ１０３に接続されて固定され、端子ねじ１０３どうしが導通される。なお、端子台１００における端子１０３の位置及び形状によっては、絶縁隔壁１０２を挟持して端子ねじ１０３に接触させるように接続しても良い。
【００３６】
さらに、端子接続部３０を使用する場合、２つのソケット部２ａ，２ｂの開口部４ａ，４ｂに、２つの端子接続部３０が挿入されて固定される。このとき、開口部４ａに挿入された端子接続部３０のアーム部３２ａ，３２ｂと、開口部４ｂに挿入された端子接続部２０のアーム部３２ａ，３２ｂとの間は導通されている。この状態で、端子台１００の端子ねじ１０３の軸部を開口部３３に挿入し、端子ねじ１０３をねじ止めして固定する。これをジャンパ線１の両端に対して行う。これにより、ジャンパ線１の両端が端子台１００の端子ねじ１０３に接続されて固定され、端子ねじ１０３どうしが導通される。
【００３７】
このように、このジャンパ線１によれば、ソケット部２ａ，２ｂの開口部４ａ，４ｂに、端子接続部１０が挿入されて着脱自在に装着され、接続方式が異なる複数種類の端子接続部１０，２０，３０が端子ねじ１０３の位置及び形状に対応して選択可能であるため、端子１０３の位置や形状に応じて適当な端子接続部１０を選択することができる。これにより、端子１０３の位置や形状にかかわらず、汎用的に使用可能なジャンパ線１を提供することが可能になる。また、ジャンパ線１は、ソケット部２ａ，２ｂに開口部４ａ，４ｂを備えたことにより、端子接続部１０，２０，３０を容易に装着することができる。
【００３８】
また、端子接続部１０によれば、略円柱型の導電素材により形成された導通部１１と、側面を覆うように略円筒型に設けられた磁石１２とを備えているので、磁石１２の磁力により端子ねじ１０３に接続される。これにより、端子ねじ１０３に接続するためのドライバー等の工具が不要になるので、迅速に回路を構成することが可能になる。
【００３９】
さらに、端子接続部１０の端子ねじ１０３に接続される箇所が、端子ねじ１０３を嵌着させるように凹状に形成されているので、端子接続部１０と端子ねじ１０３との接合面積が増すので、端子接続部１０が安定して端子ねじ１０３に接続される。
【００４０】
また、端子接続部２０によれば、アーム部２２及び挟持部２３によりクリップ状に形成したため、端子ねじ１０３の磁石に対する接合力が弱い場合や、絶縁隔壁１０２を挟持して使用する場合、端子接続部１０が隣接する端子ねじ１０３に接続されている場合等、端子接続部１０が使用できない場合に有用である。
【００４１】
さらに、端子接続部３０によれば、挿入部３１の導電部材が延設されて二又に分岐してＵ字状に形成されているため、端子ねじ１０３の磁石に対する接合力が弱い場合や、端子接続部１０が隣接する端子ねじ１０３に接続されている場合等、端子接続部１０が使用できない場合や、端子台１００における端部の端子ねじ１０３を使用する場合に有用である。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、略円柱型の導通部１１の側面を磁石１２が覆うように形成したが、磁力を有する導電部材により形成しても良い。また、上述した実施の形態では、円柱型に形成したが、他の形状でも良い。
【００４３】
さらに、２つの開口部４ａ，４ｂには、それぞれ同一の端子接続部１０，２０，３０を挿入して装着したが、それぞれ異なる端子接続部１０，２０，３０を装着しても良い。
【００４４】
また、２つのソケット部２ａ，２ｂを設け、２つの端子接続部１０，２０，３０を挿入するように設けたが、３つ以上にし、リード線３を三又以上に分岐するように設けても良い。
【符号の説明】
【００４５】
１                          ジャンパ線
２，２ａ，２ｂ              ソケット部
３                          リード線
４，４ａ，４ｂ              開口部
１０，２０，３０            端子接続部
１１                        導通部
１２                        磁石
２１                        挿入部
２２ａ，２２ｂ              アーム部
２３                        挟持部
３１                        挿入部
３２ａ，３２ｂ              アーム部
３３                        把持部
１００                      端子台
１０１                      絶縁基部
１０２                      絶縁隔壁
１０３                      端子ねじ
１０４                      接続板
１０５                      保持レール
１０６，１０７              電線
【図１】
2018073571.tif 000003
【図２】
2018073571.tif 000004
【図３】
2018073571.tif 000005
【図４】
2018073571.tif 000006